(57)【要約】      （修正有）【課題】  コンパクトな球形ハウジングの中に完全な遠心力バランスを保って従来の優れた機密システムであるピストンリング機構を持ち、機密に優れた抵抗の少ない大量の吸入排気が可能なバルブシステムをもつ軽くてコンパクトな４サイクルエンジンを提供する。【解決手段】  重いバルブヘッダー、コンロッド、クランクシャフト等を無くし、そこに磁性シリンダーを設けてピストンの動きに同調したＳＹＮＣＨＲＯＮＩＺＥＤハイブリッドエンジンとした。  ピストンボールベアリング４７は１ピストン分２個、４ピストン分計８個である。これらは同時に分担して作用する４ピストンの磁力に同調して、吸入、圧縮、爆発、排気の４行程を貫徹しながら、又慣性力を伴って、総合的に調和の取れた働きを持ちつずけ、長期の使用に耐え得る極めて信頼の置ける自動車部品である。【選択図】  図２
2006112408.tif 000002
【特許請求の範囲】
【請求項１】
（イ）［図１］［図２］［図３］をメイン図とする。右端にフライホイール（６）がネジ（７）で固定されているベーン止め（３）の溝ａとドライブギア（１０）の溝ｂに挿入挟まれて排気ベーン（８）が右ハウジング（４）とフライホイールカバー（１）の間にネジ（５）で締め付け備えられているエンジン。
（ロ）中央にはエンジンバルブ軸（２７）が雄ヘリカルギアｃ［図１３］を備え可変動バルブシステムの雌ヘリカルギア（１２）［図１４］に挿入合体、同時にその凹みｄがドライブギア（１０）の凸部ｅ［図１６］に接合され転がりピン（１３）と共にフライホイール（６）と一体で軸の廻りには軸受け（２，９，２９、）及び２分割ｂｉ−ｐａｒｔｉｔｅの断熱材（３０）が設けられているエンジン。
【請求項２】
（イ）１ピストンギア（４８）につき２個のピストンボール（４７）をその回転位置に保持するボールホルダリング（３７）及び４個のピストン回転止め（３５）（図１１シリンダー回転止め３５はボールを挟んで保持できるように二分割ｂｉ−ｐａｒｔｉｔｅ部品に備えられている）を備え、その２個のピストンボール（４７）が常にその対称の位置に存在し得る半円形の溝カムでそのシリンダー上にスムーズなサインカーブカムｆ及び回転止めカムｇ（図３シリンダーカム展開図）を備えたエンジン。（図１５ピストン機構ブロック部品図参照）
（ロ）ピストン（３８）内に設置された永久磁石（４３）を備え、それに内接スライドしてハウジング（４，５１）に設置される棒状電磁石コイル（５４）を備えたエンジン。ピストン（３８）は［図１５］でピストンリング（３９）永久磁石（４３）のスペース保持サポート（４０）スペーサー（４１）磁石台（４２）磁石止めピン（４４）ピストン用カムシリンダー（４５）及びピストン止めピン（４６）を備えている。
【請求項３】
（イ）［図１１］［図１３］バルブ軸ホルダー（２６）に重ねて設置される４組の吸入排気口（３１）パッキン（３２）ライナー（３３）シリンダーブロック（３４）を左ハウジング
（５１）の中心に必要な圧力で締め付けるブロックホルダー（２４、３６）［図４］［図６］［図７］［図９］蓋（５２）とそのヘッドボルト（５３）を備えたエンジン。
（ロ）ブロックホルダー（２４）とドライブギア（１０）の内側に可変動バリブシステムのヘリカルギアホルダ（１１）、ヘリカルギア（１２）、転がりピン（１３），転がりピン蓋（１４），調節軸受けリング（１５），調節ギア（２３），調節軸（２５）を設けたエンジン。
【請求項４】
（イ）４個のピストンギア（４８）に連結して４個の遊星ギア（１７，１８，１９、２０）は又中心のドライブギア（１０）に連結して設けられているエンジン。［図６］［図７］
（ロ）全体は球形のハウジング（４，５１）に包まれてネジ（６０）で締め付けられ電磁石コイル（５４）の内側に４個の冷却空気吸入口ｈ、バキュウム空気取り出し口ｉ、冷却オイル吸入口ｊ、冷却オイル取り出し口ｋ、点火プラグ（５５）燃料インジェクター（５６）及び蓋（５８）を設けたエンジン。［図４］［図５］［図６］
【請求項５】
（イ）フライホイール及び可変動弁機構を無くし、エンジンバルブ軸を動力軸とし、又給排気分配口を９０°ごとに入口、出口、入口、出口、となるように構成すれば、上記の本エンジン機構はコンプレッサー、ポンプ、油圧モーター、ＰＮＥＵＭＡＴＩＣモーター等に変身させることができるエンジン。（従来のエンジンもそのように応用されている）
（ロ）又シリンダー内の磁力によって引き起こされる往復運動はピストンボールの作用によってピストンギアを回転させるのでそれ自体動力源モーターともすることができるエンジン。（新しい電動モーター又は発電機として他の分野に応用することが出来る）
【発明の詳細な説明】
【発明の詳細な説明】
【０００１】［産業上の利用分野］
自動車、軽飛行機、発電機、船、油圧機械、コンプレッサー、ポンプ、農工業建設機械等の動力源に利用できる。
【０００２】［従来の技術］
従来の４サイクルエンジンでは、重くてスペースを取るコンロッド、バランスウェイトの付いたクランクシャフト等をともない、クランクシャフトの円運動に起こる遠心力のアンバランス値は複雑でバランサーシャフト等を付加して解決を計っているが完全にはその振動をなくすことはできず更に重量を増している。更に重くてスペースを取るのはバルブカムを含むシリンダーヘッドである。バルブシステムは１００年以上の歴史を持ちそれはジャンピング、サージング、バウンシング等の問題を持ち、及び吸入排気の最大の抵抗体ともなっているバルブステム等の問題を持っている、吸入排気口を増やして解決を計っているがそれは更に複雑にし重量を増している。その上にインタークーラーやタービンとコンプレッサー等の加給システムを外側に積み重ねてきた。現在のリーンバーンエンジンでもまだ高回転高負荷時では良い結果を得てはいない。停車時に於けるアイドリングストップ操作でもエンジンの高負荷の問題を抱えており止めてしまっている。
【０００３】［発明が解決しようとする課題］
本発明のハウジングは球体で中心を軸にして運動する部品は全て遠心力バランスの取れたもので構成された４サイクルエンジンである。従来のエンジンのピストンの往復運動で横軸（ｘ軸）を回転度に、縦軸（ｙ軸）をピストン位置に取ってグラフに表わすとサインカーブになることは一般に良く知られている。今ピストンと一体になっているシリンダー上の対称の位置に２個のボールを設け常に同一位置でボールを保って円運動に回転するようにボールホルダーを設けボールのレールとなる半円形のカムを上記のようなサインカーブに設け又シリンダーが回転しないようにストッパーを設けてボールホルダーを回転させれば、ピストンは往復運動を行う、反対にピストンを往復運動させればボールホルダーは回転する。このピストンの往復運動の仕方は従来のエンジンのものと全く同じである。（図３参照）ボールベアリングはスムーズなレールに沿って転がり、過酷な荷重を受けても長期の使用に耐え又遠心バランスも取れているので軽量化軽負荷化を計れる。ボールベアリングの大きさは設計によって変化できるのでレース用エンジンとすることもできる。
存在する強力な永久磁石と電磁石の組み合わせにより強力なリーンバーンエンジンを製作する。特に４サイクルエンジンでは圧縮作用に高負荷がかかることに注目、磁石により圧縮作用を助け更に反発力を加えればリーンバーンエンジンの負荷が軽減され、アイドリングストップ時の再始動も容易になる。
【０００４】［課題を解決するための手段］
［図１］は正面図、［図２］及び［図４］は右側面図、［図５］は背面図、［図３］はピストン運動展開図、又［図９］はそのブロック別分解組立図である。
右端にフライホイール（６）がネジ（７）で固定されているベーン止め（３）の溝ａとドライブギア（１０）の溝ｂに挿入挟まれて排気ベーン（８）が右ハウジング（４）とフライホイールカバー（１）の間にネジ（５）で締め付け備えられている。（図１６参照）
中央にはエンジンバルブ軸（２７）（詳細は図１３）が雄ヘリカルギアｃを備え可変動バルブシステムの雌ヘリカルギア（１２）に挿入合体、同時にその凹みｄがドライブギア（１０）の凸部ｅに接合され転がりピン（１３）と共にフライホイール（６）と一体軸で軸の廻りには軸受け（２，９，２９、）及び２分割ｂｉ−ｐａｒｔｉｔｅの断熱材（３０）が設けられている。（図１４参照）
１ピストンギア（４８）につき２個のピストンボール（４７）をその回転位置に保持するピストンボールホルダリング（３７）及び４個のピストン回転止め（３５）（図１１ピストン回転止め３５はボールを挟んで保持できるように二分割部品ｂｉ−ｐａｒｔｉｔｅに備えられている）を備え、その２個のボール（４７）が常にその対称の位置に存在し得る半円形の溝カムでそのシリンダー上にスムーズなサインカーブカムｆ及び回転止めカムｇ（図３ピストンシリンダーカム展開図）が備えられている。
ピストン（３８）内に設置された永久磁石（４３）を備え、それに内接スライドしてハウジング（４，５１）に設置される棒状電磁石コイル（５４）を備える。ピストン（３８）は［図１５］でピストンリング（３９）永久磁石（４３）のスペース保持サポート（４０）スペーサー（４１）磁石台（４２）磁石止めピン（４４）カムシリンダー（４５）及びピストン止めピン（４６）を備えている。
バルブ軸ホルダー（２６）に重ねて設置される４組の吸入排気口（３１）パッキン（３２）ライナー（３３）シリンダーブロック（３４）を左ハウジング（５１）の中心に必要な圧力で締め付けるブロックホルダー（２４、３６）蓋（５２）とそのヘッドボルト（５３）が備えられている。（図１０、１１、１３参照）
ブロックホルダー（２４）とドライブギア（１０）の内側には可変動バリブシステム（１１，１２，１３，１４，１５，２３，２５）が設けられている。（図１４参照）
４個のシリンダーギア（４８）に連結して４個の遊星ギア（１７，１８，１９、２０）は又中心のドライブギア（１０）に連結して設けられている。（図５，６，７参照）
全体は球形のハウジング（４，５１）に包まれてネジ（６０）で締め付けられ電磁石コイル（５４）の内側に４個の冷却空気吸入口ｈ、バキュウム空気取り出し口ｉ、冷却オイル吸入口ｊ、冷却オイル取り出し口ｋ、点火プラグ（５５）燃料インジェクター（５６）及び蓋（５８）を設ける。（図５，６，７、８、１０、１２参照）
【０００５】［作用］
このようにエンジンを組み立てると、ピストンは従来のエンジンのクランクシャフトによるものと全く同じように運動するが、もはやコンロッドやクランクシャフトは存在しないので、そのスペースに永久磁石と極変可能な電磁石の組み合わせを設ける事ができ、又コンパクトで軽量、強力なスーパーリーンバーンエンジンを製作できる。
【０００６】［実施例］
（エンジン）
［図１］でＫは吸入行程、Ａは圧縮行程、Ｂは爆発行程、Ｈは排気行程がまさに行われようとしている様子を示している。［図７］でスタータを時計方向に回転させると遊星ギア（２０）はＢ−Ｂ断面図に示すように時計方向に回転してドライブギア（１０）を通してエンジンバルブ軸（２７）は反時計方向に、又同時に［図３］でピストンギア（４８）は時計方向に回転する、その時のピストンの動きを爆発行程を例に０°、４５°、９０°の順に示したものである。従って各９０°ごとにサイクルを替え一回転で４サイクルを終えながら、４個の各シリンダーはＫ−Ａ−Ｂ−Ｈ，Ａ−Ｂ−Ｈ−Ｋ，Ｂ−Ｈ−Ｋ−Ａ，Ｈ−Ｋ−Ａ−Ｂと順次そのサイクルを終えて回転を続ける。その時のピストンの動きは従来のエンジンのクランクシャフトによる動きと全く同じである。吸入空気はエンジンの蓋（５８）吸入口１を通ってエンジンバルブ軸（２７）の分配口ｍによって各吸入排気口（３１）から各シリンダーに入る、排気はそこから軸（２７）の受け入れ口ｏを通ってハウジング（４）の排気口ｐから排気される。（従来のエンジンは２回転で１サイクルであるが、本エンジンは１回転で１サイクルである）
（バルブ機密保持）
［図１３］は吸入排気口（３１）、エンジンバルブ軸ホルダ（２６）、エンジンバルブ軸（２７）の詳細を示したものである。吸入排気口（３１）の軸に接触する部品は高温に耐える弾性体で板バネを重ね内蔵したものでできている。これに対するエンジンバルブ軸（２７）の接触面は真円でハイテク加工されたものになっている。潤滑油はシリンダーブロック（２４）の穴ｓ及びエンジンバルブ軸ホルダ（２６）の背面の４個の穴ｔを通って吸入排気口（３１）の周囲の溝ｕからシリンダーの圧力作用面の下の放射状の溝まで導かれる、そこでこぼれた油は軸との接触面に用いられる。シリンダーの圧力作用面の下では吸入、圧縮、爆発、排気作用によって引き起こされる弾性体のポンプ作用によって潤滑油を保持し機密性を保っている。
元々、最も必要な圧縮、爆発行程の機密保持には行程自身がもつ高圧力によって益々吸入排気口（３１）をバルブ軸（２７）に押さえつける力が働く、それを確実なものとするために板バネが吸入排気口（３１）廻りを常に軸に押さえつけ、軸は高圧に耐える頑丈な構造になっている。
４個の各ピストン内には（図２，９，１５）永久磁石（４３）、及びハウジング（４）と（５１）には極変可能な電磁石（５４）が設けられているが、４個のピストンの動きに同調して圧縮及び排気行程ではその助力となる様に互いに反発させて両磁石の極をＳ−Ｓ又はＮ−Ｎに、又爆発及び吸入行程ではその助力となる様に互いに引っ張りあって両磁石の極をＳ−Ｎ又はＮ−Ｓに電磁コントロールされる。消費電力は付随発電機、発電ブレーキ、風力発電、ソーラーパネル等でコンピュウタ制御される。これらのことは停車時のアイドリングストップ再始動操作をも容易にし又発電機はスタータともなる。（発電機はモータにもなる、シリンダー内の磁力の助けによって従来のエンジン程のスタータの力は必要ないので常時発電機としエンジンに連結、始動時にモータとすればよい）
（リーンバーンエンジンについて）
負荷に応じて燃料の噴射時期は異なるが成層化時間を考慮して圧縮行程中にタンブル流が起こされる様に［図４］エキセントリックに設置された高圧スワールインジェクター（５６）によってシリンダー（３３）内に噴射され圧縮行程終了近くでシリンダー湾曲部ｑの作用によって点火プラグ（５５）周辺に集中される燃料に点火される。
従来のリーンバーンエンジンでは、いかに薄い空燃比で安定的に燃焼させるかが要点でそのため大量の空気を必要としている、このことはいかに圧縮後つまり爆発時に空気と排気の混合の反発ばねの力を当てにしているかをうかがい知ることができる。
同じ力のエンジンで比較してみると、反発ばねの力を磁力にたよっている本エンジンでは空気も燃料ももっと少なくてすむし、シリンダーの容積をもっと小さくする事も出来る。
（ポンプ圧損失の低減）
従来のエンジンの４バルブ／シリンダーにしても吸入排気用にそれぞれ２バルブで開放時でもバルブステムの傘が大きな流体抵抗になっていることは明らかである。
本エンジンでは［図１３］吸入排気口１バルブ／シリンダーで開放時の流体抵抗は何も無く口面積、口形は自由にとれる。高回転、高負荷時に有利である。
（バルブタイミミング）
［図１３］弁機構展開図参照
ピストンは各行程の始めと終わりにはゆっくり運動し［図３］シリンダーカム展開図参照、又エンジン回転に従って吸入排気ガスは流体としての慣性がつくので、吸入バルブは排気バルブが閉じる前に開き（オーバーラップしている）吸入行程が終わってもまだ開いている、次にピストンが上死点を過ぎてから閉じている、圧縮行程は始まってからバルブを閉じ、爆発行程は終わる前に排気を始めている。
これらのタイミングは低回転時（低負荷時）と高回転時（高負荷時）では異なるので可変動弁システムを［図２］［図９］［図１４］（１１，１２，１３，１４，１５，２３，２４，２５、）に設けた。
（エンジンの冷却装置）
本エンジンは油と空気の混合によって冷却される。潤滑冷却油は油注入口ｊから入り出口ｋから出て外部のオイルフィルターを経てオイルポンプによって油冷却器へ圧送常に一定量に制御保たれて入り口に戻り循環される。
冷却空気は外部のエアフィルターを通して４個のシリンダーに付いている電磁石ホルダ（５４）の各空気吸入口ｈから入り上部の空気出口ｉから真空ポンプによって吸引されオイルセパレータを通して外部へ放出される。
【０００７】［発明の効果］
本発明の目的は低燃費、低公害、低価格で外国をも含む大衆に利用できる強力なハイブリッドリーンバーンエンジンを製作することである。
本エンジンでは９０°ごとに１爆発が存在する。１シリンダーあたり吸入、圧縮、爆発、排気の４行程の内爆発行程のみが出力エネルギーとなっている、他は圧縮損失、流体抵抗、摩擦損失等を伴ったポンプ損失である。仮にそれに相当する磁力を起動させるためには４シリンダーが共同してピストンの往復共全行程に作用するので１シリンダーあたり１／４爆発磁力でよい。
理論的にはこれで通常の２倍の馬力になる。実際には相当量の電力が消費され、自動車の起電力によってコンピュウタコントロールされるのでもっと効果は少ない。
従ってエンジン自体も発電ブレーキになるが付随の発電機、発電ブレーキ、風力発電機、ソーラーパネルなどによって起電力を増加させることが必要である。
従来のハイブリッドエンジンは外側にモーターをあるいは発電機を平行にあるいは並列に用いてきたが、本発明では内蔵された磁力作用（新しい考えのモーターをあるいは発電機）をエンジンの動きに同調（ＳＹＮＣＨＲＯＮＩＺＥＤ）させて用いている。これが絶大な効果をもたらしアイドリングストップ操作をも可能にするのである。
従来のエンジンはクランク操作によるピストンのゆれ（アンバランスな力の配分）によって強いバネ力を持ったピストンリング（強いバネ力を持ったピストンリングでなければピストンの力をクランクシャフトに伝えることができない）を備えているが問題はシリンダー内部を削るシリンダーのオーバリゼーションを起こしていることである（第三国等では要所にＲＥＣＴＩＦＩＣＡＴＩＯＮ工場を備え、そこでシリンダー内部を削り直し大き目のサイズのピストンリングに取り替えたりしてエンジンの再生を行っている。そこには何種類ものサイズのピストンリングが用意されてあり、何回でも再生できるようになっている、これは再生に当たって最も金と時間のかかる行程となっている）
本エンジンのピストンは４方のボールストッパー、２個のピストンボール及び中心の永久磁石４方の滑り台の作用でバランスの取れた完全な直線往復運動をしている。ピストンリングには摩擦と圧力以外の力は加わらないので、もっと柔らかく、摩擦の少ない新しいタイプのピストンリングとすることができ、シリンダーのオーバリゼーションは起こらない。全体は遠心力バランスのとれた静かで振動のないエンジンである。
吸気菅及び排気管は各一本でコンパクト、軽量、製作が容易で機能に富み完結である。電気自動車、水素燃料自動車、燃料電池自動車等出現し始めているが大部分の世界には電気スタンドも水素スタンドも存在していないし価格の点でも大衆車とはなっていない。
メインテナンスが容易でエンジンの廻りを常にクリーンに保つことができる。［図１７］にエンジンメインテナンス図を示した。
（ターボ化エンジンについて）
ドライブギア（１０）の中心ｖに軸流タービンを、エンジンバルブ軸（２７）の中心を通してタービンローターをエンジンカバー（５８）の上の中心ｗにコンプレッサーを連結して設ければ、エンジン廻りのレイアウト犠牲を最小にして、タービンを内蔵したエンジンとして設計することもできる。ドライブギア（１０）の中に設けられいるベーンは排気をうながすものでエンジンの回転に従って常時回転する、これは常時タービンの回転に加算されて更に回転速度を上げタービンの性能を高くし、又アイドリングストップ操作の可能性をも更に高めている。（ターボチャージャー、エアフィルター、スロットルバルブ等は本図に示されていない）
ブロックホルダー（２４）の内ネジ（３６）につながるヘッドボルト（５３）は互いのテーパ状の摺動面の作用で４個のシリンダーブロック（３４）を中心の軸ホルダー（２６）に向かって強力に締め付けるもので、従来のシリンダーヘッドボルト程の締め付けトルクはいらない。
【図面の簡単な説明】［図１］正面図
［図２］右側面図
［図３］ピストン運動展開図
［図４］右側面図
［図５］背面図
［図６］垂直断面図
［図７］平面図
［図８］右側外観図
［図９］ブロック別分解組立図
［図１０］左側ブロック部品図
［図１１］中央ブロック部品図
［図１２］右側ハウジング図
［図１３］中央弁機構部品図
［図１４］可変動弁機構部品図
［図１５］ピストンブロック機構部品図
［図１６］出力伝達機構部品図
［図１７］エンジンメインテナンス図
【符号の説明】
（符号番号は同時に組立順番を示す）
１    フライホイールカバー            ２    フライホイール台ベアリング
３    フライホイール台                ４    右側ハウジング
５    フライホイールカバー止めネジ    ６    フライホイール
７    フライホイール止めネジ          ８    ベーン
９    ドライブギアベアリング        １０    ドライブギア
（可変動弁機構部品）
１１    ヘリカルギアホルダ            １２    ヘリカルギア
１３    転がりピン                    １４    転がりピン落し穴ネジ蓋
１５    可変動弁調整ギア受けリング
１６    遊星ギアベアリング            １７    遊星ギア
１８    遊星ギア                      １９    遊星ギア
２０    遊星ギア                      ２１    遊星ギア押え
２２    遊星ギアセンターボール        ２３    可変動弁調整ギア
２４    シリンダーブロックホルダ      ２５    可変動弁調整ギア軸
（エンジンバルブ軸部品）
２６    軸ホルダ                      ２７    軸
２８    軸補強板                      ２９    軸ベアリング
３０    軸補強板
３１    磁性弁吸入排気口              ３２    シリンダーブロックパッキン
３３    シリンダーライナー            ３４    シリンダーブロック
３５    ストッパー（ボール＋ｂｉ−ｐａｒｔｉｔｅ）  ３６    ブロックホルダ雌ネジ
３７    ピストンボール押え
（ピストンブロック部品）
３８    ピストン                      ３９    ピストンリング
４０    永久磁石スペーサーホルダ      ４１    永久磁石スペーサー
４２    永久磁石台                    ４３    永久磁石
４４    永久磁石止めピン              ４５    ピストン用カムシリンダー
４６    ピストン止めピン              ４７    ピストンボール
４８    ピストンギア                  ４９    ピストンギアベアリング
５０    ハウジングパッキン            ５１    左側ハウジング
５２    ハウジング内蓋                ５３    シリンダーブロック押えネジ
５４    電磁コイルホルダ              ５５    点火プラグ
５６    高圧筒内インジェクタ          ５７    Ｏリング
５８    左側ハウジング蓋              ５９    ネジ
６０    ハウジングネジ
ａ    フライホイール台側ベーンはめ溝  ｂ    ドライブギア側ベーンはめ溝
ｃ    エンジンバルブ軸ヘリカルギア    ｄ    可変動弁ヘリカルギア凹部
ｅ    ドライブギアｄ部はめ合い凸部    ｆ    ピストン用シリンダーカム
ｇ    ピストン用ストッパーカム        ｈ    磁性部冷却空気取り入れ口
ｉ    真空ポンプ連結口                ｊ    潤滑冷却用油入口
ｋ    潤滑冷却用油出口                ｌ    空気入口
ｍ    バルブ軸空気分配口              ｎ    磁性バルブ吸入排気口
ｏ    バルブ軸排気分配口              ｐ    右側ハウジング排気口
ｑ    ピストン湾曲部                  ｒ    ヘリカルギア転がりピン落し穴
ｓ    ブロックホルダ油流入口          ｔ    軸ホルダ油流入口
ｕ    磁性バルブ吸入排気口潤滑油溝    ｖ    タービン設置場所
ｗ    コンプレッサー設置場所
【図１】
2006112408.tif 000003
【図２】
2006112408.tif 000004
【図３】
2006112408.tif 000005
【図４】
2006112408.tif 000006
【図５】
2006112408.tif 000007
【図６】
2006112408.tif 000008
【図７】
2006112408.tif 000009
【図８】
2006112408.tif 000010
【図９】
2006112408.tif 000011
【図１０】
2006112408.tif 000012
【図１１】
2006112408.tif 000013
【図１２】
2006112408.tif 000014
【図１３】
2006112408.tif 000015
【図１４】
2006112408.tif 000016
【図１５】
2006112408.tif 000017
【図１６】
2006112408.tif 000018
【図１７】
2006112408.tif 000019